(57)【要約】【課題】  建物開口部３の側方に配置される幅の狭い外壁パネル２であっても、簡単に取り付け、取外しすることが可能な外壁パネル取付構造１を提供する。【解決手段】  外壁パネル取付構造１は、軸柱６と建物開口部３との間に設置される幅狭の外壁パネル２を軸柱６に取付けるものであって、一端が前記外壁パネル２の取付溝７に固定され、他端が外壁パネル２の軸柱６側の周端よりも張り出して設けられた延出部１１を形成するパネル側取付片１２と、一端が軸柱６に固定され、他端が延出部１１に当接する軸柱側取付片１７と、延出部１１を軸柱側取付片１７との間に挟持する固定片１８と、により構成される外壁パネル取付具４と、一端が軸柱６に固定されるとともに、他端に取付溝７の建物開口部側のリップ部２０が挿入される挟持部１９を形成する外壁パネル取付補助具５と、を備える。【選択図】図３
2010209639.tif 000002
【特許請求の範囲】
【請求項１】
建物躯体を構成する軸柱と建物開口部との間に設置される幅狭の外壁パネルを前記軸柱に取付ける外壁パネル取付構造であって、
一端が前記外壁パネルの屋内側面に高さ方向に延びて設けられたリップ付き溝型鋼からなる取付溝に固定されるとともに、他端が前記外壁パネルの軸柱側の周端方向に延びる延出部を形成するパネル側取付片と、一端が前記軸柱に固定されるとともに、他端が前記延出部に当接する軸柱側取付片と、屋外側より操作されるネジ部材により前記軸柱側取付片の他端に接近離反可能に固定されており、前記延出部を前記軸柱側取付片との間に挟持する固定片と、により構成される外壁パネル取付具と、
一端が前記軸柱に固定されるとともに、他端が前記取付溝を保持するように狭い間隔で二股に分かれており、その間に前記取付溝の建物開口部側のリップ部が挿入される挟持部を形成する外壁パネル取付補助具と、を備えることを特徴とする外壁パネル取付構造。
【請求項２】
前記取付溝の前記建物開口部側のリップ部は、前記外壁パネルの幅方向の中心よりも、前記建物開口部寄りに設けられたことを特徴とする請求項１に記載の外壁パネル取付構造。
【請求項３】
前記外壁パネル側取付片は、前記取付溝の内部に収められた外壁側プレートと、当該外壁パネル側取付片と、により、前記取付溝のリップ部を挟持して固定されることを特徴とする請求項１又は請求項２に記載の外壁パネル取付構造。
【請求項４】
前記パネル側取付け片は、その上部又はその下部のいずれか一方が前記固定片と前記軸柱側取付片により挟持されるとともに、上部又は下部のいずれか他方が前記取付溝に固定されることを特徴とする請求項１から請求項３のいずれかに記載の外壁パネル取付構造。
【発明の詳細な説明】
【技術分野】
【０００１】
この発明は、住宅等の建物における外壁パネルの取付構造に関し、特に、窓や玄関などの建物の開口部と軸組との間に設置される幅の狭い外壁パネルを建物の軸柱に取り付ける外壁パネル取付構造に関する。
【背景技術】
【０００２】
従来より、建物の構造躯体に外壁パネルを取り付ける構造として、図８に示すように、建物の構造躯体を構成する軸組１００に所定間隔で軸組側取付部１０１を固定するとともに、外壁パネル１０２の屋内側に軸組側取付部１０１と同間隔でパネル側取付片１０３を固定し、この軸組側取付部１０１とパネル側取付片１０３とを連結することで、外壁パネル１０２を軸組１００に固定する外壁パネルの取付構造がある。この構造においては、特に、軸組側取付部１０１とパネル側取付片１０３とを外壁パネル間の縦目地１０４の屋内側で、目地の屋外側から締緩自在なネジ１０５で連結することで、外壁パネル１０２のメンテナンスの時などに、屋外側から簡単に外壁パネル１０２を取り外すことができるように構成されたものも提案されている（例えば特許文献１）。
【先行技術文献】
【特許文献】
【０００３】
【特許文献１】特開２００５−２０７０３０号公報
【発明の概要】
【発明が解決しようとする課題】
【０００４】
ところで、上述の外壁パネルの取付構造は、外壁パネル１０２の両端側に設けられた軸組１００のにそれぞれ軸組側取付部１０１を設けて、パネル側取付片１０３を固定することで、外壁パネル１０２が屋外側に離反することを防ぐものであるが、例えば窓や玄関などの建物開口部の側方に配置される外壁パネルのように、幅の狭い外壁パネルを取り付ける場合には、上述のような外壁パネル取付構造を外壁パネルの両端側から取り付けるスペースを確保することは困難であり、また、軸組側取付部１０１を固定する軸組１００を確保することも困難である。
【０００５】
そこで、本発明は建物開口部の側方に配置される幅の狭い外壁パネルであっても、簡単に取り付け、取外しすることが可能な外壁パネル取付構造を提供することを目的とする。
【課題を解決するための手段】
【０００６】
請求項１に記載の外壁パネル取付構造は、建物躯体を構成する軸柱と建物開口部との間に設置される幅狭の外壁パネルを前記軸柱に取付ける外壁パネル取付構造であって、一端が前記外壁パネルの屋内側面に高さ方向に延びて設けられたリップ付き溝型鋼からなる取付溝に固定されるとともに、他端が前記外壁パネルの軸柱側の周端よりも張り出して設けられた延出部を形成するパネル側取付片と、一端が前記軸柱に固定されるとともに、他端が前記延出部に当接する軸柱側取付片と、屋外側より操作されるネジ部材により前記軸柱側取付片の他端に接近離反可能に固定されており、前記延出部を前記軸柱側取付片との間に挟持する固定片と、により構成される外壁パネル取付具と、一端が前記軸柱に固定されるとともに、他端が前記取付溝を保持するように狭い間隔で二股に分かれており、その間に前記取付溝の建物開口部側のリップ部が挿入される挟持部を形成する外壁パネル取付補助具と、を備えることを特徴としている。
【０００７】
請求項２に記載の外壁パネル取付構造は、前記取付溝の前記建物開口部側のリップ部は、前記外壁パネルの幅方向において、前記建物開口部寄りに設けられたことを特徴としている。
【０００８】
請求項３に記載の外壁パネル取付構造は、前記パネル側取付片は、前記取付溝の内部に収められた外壁側プレートと、当該パネル側取付片と、により、前記取付溝のリップ部を挟持して固定されることを特徴としている。
【０００９】
請求項４に記載の外壁パネル取付構造は、前記パネル側取付け片は、その上部又はその下部のいずれか一方が前記固定片と前記軸柱側取付片により挟持されるとともに、上部又は下部のいずれか他方が前記取付溝に固定されることを特徴としている。
【発明の効果】
【００１０】
請求項１に記載の外壁パネル取付構造によると、パネル側取付片の延出部を固定片と軸柱側取付片とで挟持して固定する外壁パネル取付片と、取付溝を保持するように、外壁パネルのリップ付き溝型鋼からなる取付溝の建物開口部側のリップ部が挿入される挟持部を他端に形成する外壁パネル取付補助具と、を備えているので、屋外方向への荷重に対して外壁パネルを軸柱に確実に固定することができるとともに、外壁パネルが側方向にずれて外壁パネル取付具又は外壁パネル取付補助具から脱落する虞も無い。また外壁パネル取付補助具の挟持部にはリップ部が挿入されているだけであるので、外壁パネルの目地の屋外側から軸柱側取付片と固定片とを固定しているネジ部材を緩めて、パネル側取付片の延出部を取り外した後、外壁パネルを開口部側に引き出すだけで、簡単に外壁パネルを取り外すことができる。
【００１１】
請求項２に記載の外壁パネル取付構造は、外壁パネル取付補助具の挟持部に挿入される外壁パネルの取付溝の建物開口部側のリップ部が、建物開口部寄りに設けられているので、外壁パネルの建物開口部側の端部に屋外側に荷重がかかるような場合にも外壁パネルを軸柱に確実に固定することができる。
【００１２】
請求項３に記載の外壁パネル取付構造は、取付溝の内部に収められた外壁側プレートとパネル側取付片とにより、前記取付溝のリップ部を挟持することにより、外壁パネル取付補助具が固定されるので、外壁パネルのリップ付き溝型鋼からなる取付溝により、外壁パネル取付具及び外壁パネル取付補助具の２種類の治具を１つの取付溝に取り付けることができる。
【００１３】
請求項４に記載の外壁パネル取付構造は、外壁パネル取付具のパネル側取付け片の上部又はその下部のいずれか一方が固定片及び軸柱側取付片により挟持されるとともに、上部又は下部のいずれか他方が取付溝に固定される。すなわち、固定片及び軸柱側取付片により挟持される部分と、取付溝に固定される部分とを上下に分けることで、パネル側取付片の幅を狭くすることができ、取り付けるべき外壁パネルの幅が狭い場合にも取り付けることができる。
【図面の簡単な説明】
【００１４】
【図１】外壁パネル取付具を用いて外壁パネルを軸柱に取付けた状態を説明する図。
【図２】（Ａ）は外壁パネル取付具の構成を示す上面図であり、（Ｂ）は外壁パネル取付具の構成を示す正面図。
【図３】外壁パネル取付補助具を用いて外壁パネルを軸柱に取り付けた状態を説明する図。
【図４】（Ａ）は外壁パネル取付補助具の構成を示す上面図であり、（Ｂ）は外壁パネル取付補助具の構成を示す正面図。
【図５】外壁パネル取付具及び外壁パネル取付補助具を用いて外壁パネルを軸柱に取り付けた状態を説明する図。
【図６】外壁パネル取付具による外壁パネルと軸柱との固定を解除する状態を説明する図。
【図７】外壁パネル取付補助具の挟持部に挿入された外壁パネルの取付溝のリップ部を引き外して、外壁パネルと軸柱との固定を解除する状態を説明する図。
【図８】従来の外壁パネルの取付構造を説明する図。
【発明を実施するための形態】
【００１５】
以下、この発明における外壁パネル取付構造１について、各図を参照しつつ説明する。複数枚の外壁パネル２を軸組に固定して外壁を仕上る住宅などの建物において、窓などの開口部３の側方には、開口部３の設置位置に合わせた幅の狭い外壁パネル２が設置される。本発明の外壁パネル取付構造１は、このような幅の狭い外壁パネル２を外壁パネル取付具４及び外壁パネル取付補助具５を用いて建物の軸柱６に取り付ける構造である。なお、外壁パネル２には、縦向きにリップ付き溝型鋼からなる取付溝７が埋設などの方法で固定されている。
【００１６】
外壁パネル取付具４は、図１及び図２に示すように、外壁パネル２の屋内側に設けられた取付溝７の内部に収納されてその中央にボルト８が貫通された外壁側プレート９と、一端が取付溝７の屋内側に当接して外壁側プレート９を貫通したボルト８に外挿し、ナット１０により取付溝７に固定されるとともに、他端が外壁パネル２の軸柱６側の周端方向に延びる延出部１１を形成するパネル側取付片１２と、一端が軸柱６を形成するＣ型鋼の開口６ａに固定用ボルト１３及び軸柱プレート１４により押さえつけて固定されるとともにＬ字状に折曲されて他端が外壁パネル２間の縦目地１５の屋内側に配置されて、パネル側取付片１２の延出部１１に当接する軸柱側取付片１７と、外壁パネル２間の縦目地１５を挟んで屋外側より操作されるネジ部材１６により軸柱側取付片１７の他端に接近離反可能に固定されており、延出部１１を軸柱側取付片１７との間に挟持する固定片１８と、により構成されている。
【００１７】
したがって、外壁パネル２に固定されているパネル側取付片１２と軸柱６に固定されている軸柱側取付片１７とが外壁パネル２間の縦目地１５の屋内側で連結することにより、外壁パネル２と軸柱６とが固定されている。なお、延出部１１と軸柱側取付片１７とを固定しているネジ部材１６は、縦目地１５の屋外側から操作することができるので、このパネル側取付片１２と軸柱側取付片１７との連結も屋外側から簡単に外すことができる。
【００１８】
外壁パネル取付補助具５は、図３及び図４に示すように、一端が軸柱６を構成するＣ型鋼の開口６ａに固定されるとともにＬ字状に折曲されて、他端が狭い間隔で二股に分かれた挟持部１９を形成しており、外壁パネル２の屋内側に形成された取付溝７の建物開口部３側のリップ部２０がこの挟持部１９に挿入されることによって、取付溝７が外壁パネル取付補助具５に保持されるものである。
【００１９】
このように外壁パネル取付補助具５は取付溝７のリップ部２０を挟持することで、外壁パネル２の屋外側への荷重を受けることができる。そして、外壁パネル２の取付溝７の建物開口部３側のリップ部２０は、外壁パネル２の幅方向において、中心よりも建物開口部３寄りに設けられている。したがって、外壁パネル取付補助具５は、外壁パネル２の建物開口部３側の端部に屋外側へ掛かる荷重に対して外壁パネル２を効果的に固定することができる。
【００２０】
そして、図５に示すように、外壁パネル２の高さ方向に沿って外壁パネル取付具４と外壁パネル取付補助具５とはそれぞれ適宜位置に複数設置され、外壁パネル２を軸柱６に固定している。このように外壁パネル２の取り付けに、外壁パネル取付具４と外壁パネル取付補助具５とを組み合わせて用いることにより、屋外方向への荷重に対して外壁パネル２を軸柱６に確実に固定することができるとともに、外壁パネル２が建物の横方向にずれて外壁パネル取付具４又は外壁パネル取付補助具５から脱落することも抑制することができる。
【００２１】
以上のように構成される外壁パネル取付構造１において、メンテナンスなどの必要性から外壁パネル２を軸柱６から取り外す際には、図６に示すように、外壁パネル２間の縦目地１５に収納されている目地シーリング材２１を屋外側に引き剥がす。そして、縦目地１５の屋外側からドライバーなどを操作して、縦目地１５の屋内側に位置するネジ部材１６を緩めて固定片１８を回転させることにより、固定片１８と軸柱側取付片１７とに挟持されているパネル側取付片１２の延出部１１の固定を解除する。その後、屋外側から外壁パネル２を建物開口部３側に引き付けるように取り外す。このとき、図７に示すように外壁パネル取付補助具５は、外壁パネル２の屋内側に設けられた取付溝７の建物開口部３側のリップ部２０が挟持部１９に挿入されているだけであるので、外壁パネル２を建物開口部３側に引き付けるように取り外すことで、そのままリップ部２０が挟持部１９から抜けるので、外壁パネル２を取りはずすことができる。
【００２２】
このように本実施形態の外壁パネル取付構造１は、極めて簡単に屋外側から外壁パネル２を取り外すことができるものであり、経年劣化などによる外壁パネル２の交換を極めて容易に行うことができる。そして、本実施形態のように幅の狭い外壁パネル２の一端側にのみ軸柱６が配置されている場合においても、この一端側に配置された軸柱６に確実に外壁パネル２を固定することができ、外壁パネル２の屋外側への荷重を受けることができる。
【００２３】
なお、本発明の実施の形態は上述の形態に限ることなく、本発明の思想の範囲を逸脱しない範囲で適宜変更することができることは云うまでもない。
【産業上の利用可能性】
【００２４】
本発明に係る外壁パネル取付構造１は、例えば住宅などにおいて、軸柱６と建物開口部３との間に設置される幅の狭い外壁パネル２を軸柱６に固定する外壁パネル取付構造１として好適に用いることができる。
【符号の説明】
【００２５】
１    外壁パネル取付構造
２    外壁パネル
３    開口部
４    外壁パネル取付具
５    外壁パネル取付補助具
６    軸柱
７    取付溝
９    外壁側プレート
１１  延出部
１２  パネル側取付片
１６  ネジ部材
１７  軸組側取付片
１８  固定片
１９  挟持部
２０  リップ部
【図１】
2010209639.tif 000003
【図２】
2010209639.tif 000004
【図３】
2010209639.tif 000005
【図４】
2010209639.tif 000006
【図５】
2010209639.tif 000007
【図６】
2010209639.tif 000008
【図７】
2010209639.tif 000009
【図８】
2010209639.tif 000010